【手続補正書】
【提出日】平成18年10月17日(2006.10.17)
【手続補正１】
【補正対象書類名】明細書
【補正対象項目名】発明の名称
【補正方法】変更
【補正の内容】
【発明の名称】画像通信方法及び装置
【手続補正２】
【補正対象書類名】明細書
【補正対象項目名】特許請求の範囲
【補正方法】変更
【補正の内容】
【特許請求の範囲】
【請求項１】
Ｇ３ファクシミリ手順で画像データを送信する通信手段と、
ＩＴＵ−Ｔ勧告で規定される、送信すべき画像データの第１画像属性を含む受信命令を送出する受信命令送出手段と、
前記受信命令送出手段による前記受信命令の送出後の画像データを送信するフェーズで、前記送信すべき画像データの第２画像属性を含む情報を送出する属性送出手段と、
前記ＩＴＵ−Ｔ勧告で規定されない属性の画像を送信する場合、前記送信すべき画像データの属性とは無関係に前記ＩＴＵ−Ｔ勧告で規定される前記第１画像属性を含む受信命令を前記受信命令送出手段によって送出させ、前記属性送出手段により第２画像属性を含む情報を送出させることにより画像データの伝送を制御する制御手段と、
を有することを特徴とする画像通信装置。
【請求項２】
前記第２画像属性は、前記ＩＴＵ−Ｔ勧告のＴ．３０で規定されない画像属性を含むことを特徴とする請求項１に記載の画像通信装置。
【請求項３】
前記第２画像属性は、前記送信すべき画像の解像度、符号化方式、画像サイズの少なくともいずれかを示す情報を含むことを特徴とする請求項１に記載の画像通信装置。
【請求項４】
前記第２画像属性の画像サイズは、写真Ｌサイズや官製はがきサイズの少なくともいずれかに応じた画像サイズを指定することを特徴とする請求項１に記載の画像通信装置。
【請求項５】
前記第２画像属性の解像度は、印刷に使用されるプリンタの解像度の整数分の１又は整数倍の少なくともいずれか一方に対応することを特徴とする請求項１に記載の画像通信装置。
【請求項６】
ＩＴＵ−Ｔ勧告で規定される、送信すべき画像データの第１画像属性を含む受信命令を送出する受信命令送出工程と、
前記受信命令送出工程による前記受信命令の送出後の画像データを送信するフェーズで、前記送信すべき画像データの第２画像属性を含む情報を送出する属性送出工程と、
前記ＩＴＵ−Ｔ勧告で規定されない属性の画像を送信する場合、前記送信すべき画像データの属性とは無関係に前記ＩＴＵ−Ｔ勧告で規定される前記第１画像属性を含む受信命令を前記受信命令送出工程によって送出させ、前記属性送出工程により第２画像属性を含む情報を送出させることにより前記画像データの伝送を制御をする制御工程と、
を有することを特徴とする画像通信方法。
【請求項７】
前記第２画像属性は、前記ＩＴＵ−Ｔ勧告のＴ．３０で規定されない画像属性を含むことを特徴とする請求項６に記載の画像通信方法。
【請求項８】
前記第２画像属性は、前記送信すべき画像の解像度、符号化方式、画像サイズの少なくともいずれかを示す情報を含むことを特徴とする請求項６に記載の画像通信方法。
【請求項９】
前記第２画像属性の画像サイズは、写真Ｌサイズや官製はがきサイズの少なくともいずれかに応じた画像サイズを指定することを特徴とする請求項６に記載の画像通信方法。
【請求項１０】
前記第２画像属性の解像度は、印刷に使用されるプリンタの解像度の整数分の１又は整数倍の少なくともいずれか一方に対応することを特徴とする請求項６に記載の画像通信方法。
【請求項１１】
ＩＴＵ−Ｔ勧告で規定されるＧ３ファクシミリ手順で画像データを受信する通信手段と、
送信側から送信される画像のＩＴＵ−Ｔ勧告で規定される第１画像属性を含む受信命令を前記通信手段により受信する受信命令受信手段と、
前記受信命令に続く画像を受信するフェーズにおいて、前記ＩＴＵ−Ｔ勧告で規定されない第２画像属性を含む情報を受信すると、前記画像が前記第２画像属性を有するかどうか判別する判別手段と、
前記判別手段による判別結果に基づいて、前記受信命令に含まれる前記第１画像属性には拠らずに前記第２画像属性によって受信画像を処理する処理手段と、
を有することを特徴とする画像通信装置。
【請求項１２】
前記第２画像属性は、前記送信すべき画像の解像度、符号化方式、画像サイズ及び画像データ容量の少なくともいずれかを示す情報を含むことを特徴とする請求項１１に記載の画像通信装置。
【請求項１３】
前記第２画像属性の画像サイズは、写真Ｌサイズや官製はがきサイズの少なくともいずれかに応じた画像サイズを指定することを特徴とする請求項１１に記載の画像通信装置。
【請求項１４】
前記判別手段は、前記第２画像属性に含まれるファイル拡張子に関する情報によって判別することを特徴とする請求項１１に記載の画像通信装置。
【請求項１５】
前記判別手段による判別ができない場合、その旨を示す情報を前記送信側に送出する送出手段を更に有することを特徴とする請求項１１に記載の画像通信装置。
【請求項１６】
送信側から送信される画像データのＩＴＵ−Ｔ勧告で規定される第１画像属性を含む受信命令を受信する受信命令受信工程と、
前記受信命令信号に続く画像を受信するフェーズにおいて、前記ＩＴＵ−Ｔ勧告で規定されない第２画像属性を含む情報を受信すると、前記画像が前記第２画像属性を含むかどうか判別する判別工程と、
前記判別工程による判別結果に基づいて、前記受信命令に含まれる第１画像属性には拠らずに前記第２画像属性によって受信画像を処理する処理工程と、
を有することを特徴とする画像通信方法。
【請求項１７】
前記第２画像属性は、前記送信すべき画像の解像度、符号化方式、画像サイズ及び画像データ容量の少なくともいずれかを示す情報を含むことを特徴とする請求項１６に記載の画像通信方法。
【請求項１８】
前記第２画像属性の画像サイズは、写真Ｌサイズや官製はがきサイズの少なくともいずれかに応じた画像サイズを指定することを特徴とする請求項１６に記載の画像通信方法。
【請求項１９】
前記判別工程では、前記第２画像属性に含まれるファイル拡張子に関する情報によって判別することを特徴とする請求項１６に記載の画像通信方法。
【請求項２０】
前記判別工程による判別ができない場合、その旨を示す情報を前記送信側に送出する送出工程を更に有することを特徴とする請求項１６に記載の画像通信方法。
【手続補正３】
【補正対象書類名】明細書
【補正対象項目名】０００１
【補正方法】変更
【補正の内容】
【０００１】
【発明の属する技術分野】
本発明は、カラー画像及びモノクロ画像を送受信可能な画像通信方法及び装置に関するものである。
【手続補正４】
【補正対象書類名】明細書
【補正対象項目名】０００６
【補正方法】変更
【補正の内容】
【０００６】
本発明は上記従来例に鑑みてなされたもので、ＩＴＵ−Ｔ勧告では非標準の画像を伝送する際、非標準の手順を用いることなく汎用性の高い標準の手順で通信を実行することにより、異なる機種間での通信を可能にし、各種画像に対応した画像通信を行うことができる画像通信方法及び装置を提供することを目的とする。
【手続補正５】
【補正対象書類名】明細書
【補正対象項目名】０００７
【補正方法】変更
【補正の内容】
【０００７】
また本発明の目的は、通信する画像の属性がＩＴＵ―Ｔ勧告化されているかどうかによらず通信できるようにようにした画像通信方法及び装置を提供することにある。
【手続補正６】
【補正対象書類名】明細書
【補正対象項目名】０００８
【補正方法】変更
【補正の内容】
【０００８】
また本発明の目的は、非標準の属性を有する画像を伝送する際、画像データを通信するフェーズで非標準の属性を相手機に伝送することにより、ＩＴＵ−Ｔ勧告と矛盾することなく標準の手順を用いた画像通信を実行する画像通信方法及び装置を提供することにある。
【手続補正７】
【補正対象書類名】明細書
【補正対象項目名】０００９
【補正方法】変更
【補正の内容】
【０００９】
また本発明の目的は、ＩＴＵ−Ｔ勧告では非標準の画像属性を有する画像を送受信する際、非標準の手順を用いることなく汎用性の高い標準の手順で通信を実行することにより、異なるメーカ同士での通信を可能にした画像通信方法及び装置を提供することにある。
【手続補正８】
【補正対象書類名】明細書
【補正対象項目名】００１０
【補正方法】変更
【補正の内容】
【００１０】
更に本発明の目的は、送受信する画像の属性がＩＴＵ−Ｔ勧告で標準化されていない場合でも、通信する手順を変更して送受信を可能にする画像通信方法及び装置を提供することにある。